【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
周辺領域を照明する光源を含む第１の複数の点検整備可能デバイスであって、地理的領域に分布された第１の複数の点検整備可能デバイスから障害デバイスを検出するための障害検出システムであって、
前記第１の複数の点検整備可能デバイスと、
第２の複数のモバイルデバイスと、
前記障害デバイスを検出する障害検出器とを含み、
前記第１の複数の点検整備可能デバイスの１つの点検整備可能デバイスは、前記点検整備可能デバイス周囲の伝送範囲で受信可能で、前記第１の複数の点検整備可能デバイス内の前記点検整備可能デバイスを一意的に識別する、前記点検整備可能デバイスに対応する少なくとも１つのデバイス識別子を含む情報を符号化する無線信号を周期的に送信する無線送信器であって、前記無線信号は、前記光源により放出され、前記情報を符号化するために前記無線送信器により変調された光である無線送信機を含み、
前記第２の複数のモバイルデバイスの１つのモバイルデバイスは、
光センサを含み、前記点検整備可能デバイスの無線信号を前記伝送範囲内で受信し、前記無線信号から前記デバイス識別子を取得する受信器と、
前記受信器が前記受信器により受信されたデバイス識別子を追加する、受信されたデバイス識別子のリストを記憶するためのローカル記憶ユニットと、
前記デバイス識別子のリストを前記障害検出器に送信するコンピュータネットワーク送信器とを含み、
前記障害検出器は、
前記第２の複数のモバイルデバイスの複数のモバイルデバイスから複数のリストを受信するコンピュータネットワーク受信器と、
前記第１の複数の点検整備可能デバイスの複数のデバイス識別子を記憶するデータベースと、
前記複数のデバイス識別子内の、ある期間にデバイス識別子が受信されなかったデバイス識別子を選択する障害検出ユニットとを含む，障害検出システム。
【請求項２】
前記光センサは、前記変調された光を受光するカメラである、請求項１に記載の障害検出システム。
【請求項３】
前記第２の複数のモバイルデバイスのモバイルデバイスは、
コンピュータネットワーク通信の特定のモードが前記リストを送信する前記モバイルデバイスに利用可能になる、及び／又は
前記モバイルデバイスのバッテリ残量が最小バッテリ閾値より大きくなるまで、
前記デバイス識別子のリストを前記障害検出器へ送信することを遅延させるスケジューラを含む、請求項１又は２に記載の障害検出システム。
【請求項４】
前記第１の複数の点検整備可能デバイスの少なくとも一部の前記点検整備可能デバイスの前記無線送信器は、前記点検整備可能デバイスの健全性を示す健全性インジケータを前記情報に含み、前記障害検出ユニットは、受信された健全性インジケータから障害デバイスを検出する、請求項１乃至３のいずれか一項に記載の障害検出システム。
【請求項５】
前記一部の前記点検整備可能デバイスは、
動作中に前記光源を流れる電流を測定する電流測定ユニットであって、前記健全性インジケータは測定された電流に依存する当該電流測定ユニット、
動作中に前記光源にかかる電圧を測定する電圧測定ユニットであって、前記健全性インジケータは測定された電圧に依存する当該電圧測定ユニット、
動作中に前記光源の力率を決定する力率ユニットであって、前記健全性インジケータは前記力率に依存する当該力率ユニット、及び／又は
動作中に前記光源の温度を測定する温度測定ユニットであって、前記健全性インジケータは測定された温度に依存する当該温度測定ユニットを含む、請求項４に記載の障害検出システム。
【請求項６】
前記第２の複数のモバイルデバイスのモバイルデバイスは識別子ストアを含み、
前記識別子ストアは、前記地理的領域のサブ領域内の前記複数の点検整備可能デバイスの識別子を含むデバイス識別子のセットを記憶し、
前記第２の複数のモバイルデバイスのモバイルデバイスは、前記デバイス識別子のセットにない前記デバイス識別子のリスト内のデバイス識別子の数が圧縮閾値より小さいかどうかを決定する圧縮ユニットを含み、
前記コンピュータネットワーク送信器は、前記圧縮ユニットの肯定的な決定の場合には、前記セットにない前記リスト中のデバイス識別子を送信する、請求項１乃至５のいずれか一項に記載の障害検出システム。
【請求項７】
前記第２の複数のモバイルデバイスのモバイルデバイスの前記受信器は、前記受信器で受信された無線信号をデバイス識別子に対してサンプリングする周波数を示すサンプリング周波数を有し、前記受信器は、まだ前記リストにない新しいデバイス識別子を追加してから経過した時間を測定し、前記経過した時間が閾値を超える場合に前記サンプリング周波数を減らす、請求項１乃至６のいずれか一項に記載の障害検出システム。
【請求項８】
前記障害検出ユニットは、障害尤度を前記第１の複数内の点検整備可能デバイスに割り当て、前記障害検出ユニットは、
初期障害尤度を前記第１の複数内の点検整備可能デバイスに割り当て、
前記点検整備可能デバイスのデバイス識別子を含むリストが受信された場合に、前記第１の複数内の点検整備可能デバイスに割り当てられた前記障害尤度を減少させ、
前記障害デバイスの前記割り当てられた障害尤度に応じて前記第１の複数内の障害デバイスを選択する、請求項１乃至７のいずれか一項に記載の障害検出システム。
【請求項９】
前記障害検出ユニットは、
モバイルデバイスから受信されたリストについて、前記モバイルデバイスが前記対応するリストの前記デバイス識別子を受信している間に位置していた地理的領域を表す、前記リストに対応する占有領域を決定し、
前記点検整備可能デバイスが前記占有領域に位置しているが、前記対応するリストにない場合に、前記複数内の１つの点検整備可能デバイスに割り当てられた障害尤度を増加させる、請求項８に記載の障害検出システム。
【請求項１０】
前記第２の複数のモバイルデバイスのモバイルデバイスは、前記受信器により受信されたデバイス識別子を、前記デバイス識別子の受信時間を示す対応するタイムスタンプと共に前記リストに記憶し、前記コンピュータネットワーク送信器は、前記タイムスタンプと共にデバイス識別子を送信し、
前記障害検出ユニットは、モバイルデバイスから受信されたリストについて、
前記リスト上の第１のデバイス識別子と、第２のデバイス識別子に対応するタイムスタンプが前記第１の識別子に対応するタイムスタンプの時間閾値を有する前記リスト上の当該第２のデバイス識別子とを決定し、
前記第１の複数内の第３の点検整備可能デバイスを決定し、前記第３の点検整備可能デバイスに対応する識別子は前記リストになく、前記第３の点検整備可能デバイスは第１及び／又は第２のデバイス識別子に対応する前記点検整備可能デバイスから地理的閾値内に位置し、
前記第３の点検整備可能デバイスに割り当てられた前記障害尤度を増加させる、請求項８又は９に記載の障害検出システム。
【請求項１１】
請求項１乃至１０のいずれか一項に記載の障害検出システムで使用するためのモバイルデバイスであって、
光センサを含み、前記情報を符号化するために変調された光である点検整備可能デバイスの前記無線信号を伝送範囲内で受信し、前記無線信号から前記デバイス識別子を取得する受信器と、
受信されたデバイス識別子のリストを記憶するためのローカル記憶ユニットとを含み、前記受信器が前記受信器により受信されたデバイス識別子を前記リストに追加する、モバイルデバイス。
【請求項１２】
請求項１乃至１０のいずれか一項に記載の障害検出システムで使用するための、障害デバイスを検出する障害検出器であって、
前記第２の複数のモバイルデバイスの複数のモバイルデバイスから複数のリストを受信するコンピュータネットワーク受信器と、
前記第１の複数の点検整備可能デバイスの複数のデバイス識別子を記憶するデータベースと、
前記複数のデバイス識別子内の、ある期間にデバイス識別子が受信されなかったデバイス識別子を選択する障害検出ユニットとを含む、障害検出器。
【請求項１３】
周辺領域を照明する光源を含む第１の複数の点検整備可能デバイスであって、地理的領域に分布された第１の複数の点検整備可能デバイスから障害デバイスを検出するための障害検出方法であって、
前記点検整備可能デバイス周囲の伝送範囲で受信可能な無線信号であって、前記光源により放出され、情報を符号化するために無線送信器により変調された光である無線信号を、前記第１の複数内の点検整備可能デバイスにより周期的に送信することと、
前記第１の複数の点検整備可能デバイス内の前記点検整備可能デバイスを一意的に識別する少なくとも１つのデバイス識別子を含む情報を前記無線信号に符号化することと、
点検整備可能デバイスの前記無線信号を前記伝送範囲内でモバイルデバイスにより光センサによって受信することと、
前記無線信号から前記デバイス識別子を取得することと、
前記受信器により受信されたデバイス識別子をリストに追加し、受信されたデバイス識別子の前記リストを記憶することと、
障害デバイスを検出することとを含み、
当該検出することは、
前記第１の複数の点検整備可能デバイスの複数のデバイス識別子を記憶することと、
前記複数のデバイス識別子内の、ある期間にデバイス識別子が受信されなかったデバイス識別子を選択することとを含む、障害検出方法。
【請求項１４】
請求項１３に記載の障害検出方法と共に使用する方法であって、
前記情報を符号化するために変調された光である点検整備可能デバイスの無線信号を前記伝送範囲内でモバイルデバイスにより光センサによって受信することと、
前記無線信号から前記デバイス識別子を取得することと、
前記受信器により受信されたデバイス識別子をリストに追加し、受信されたデバイス識別子の前記リストをタイムスタンプと共に記憶することと、
前記リストを障害検出器に送信することとを含む、方法。
【請求項１５】
コンピュータ上で実行された場合に、請求項１３又は１４に記載の全てのステップを実行する１つ以上のコンピュータ命令を有する、コンピュータプログラム。
【請求項１６】
コンピュータ可読媒体上に具現化された、請求項１５に記載のコンピュータプログラム。